(57)【要約】      （修正有）【課題】内または屋外に人工滝を容易に設置、不要時には容易に除去することが出来、観賞魚の良好な生育環境を維持し、滝の景観を日常生活において容易に楽しむことが出来るものを提供する。【解決手段】本発明は池の水を水中ポンプ６で、水を高所に汲み上げ、壁面または、岩石面に沿って同池に落下せしめることによって人工滝を形成し、水中への酸素を補給する。本人工滝は、上方部に通水口を備えた、十分な比重を有する内部が下に開放され空洞構造の山態様の樹脂製の水落下部材を池中に設置する。該水落部材の下部を池に没し、脚構造部材を備えた上げ底構造とする。それにより池中に観賞魚の棲息空間を確保し、載置場所の上部を人工滝の該水落部材の構造物で覆い、生存を脅かす外敵要因からの退避場所を確保することを特徴とする人工滝セット。【選択図】図１
2020082714.tif 000002
【特許請求の範囲】
【請求項１】
池の開口部に載置された、上方部に通水口を備えた、内部が下に開放され空洞構造の山態様の樹脂製の水落下部材。該部材には、３本の脚構造部材を有し、池の開口部に設置された状態では、該水落部材の山態様部分は、水面上に島状に突出する。脚構造部材を３本とすることで、池の底部の平面度に関わらず安定して載置される。池の底部の状態によって脚部材は適宜追加可能であり、載置される池の深さに応じて複数の長さを備える。該脚構造部材は水中に没し、池の水底から山態様の水落部材底部までの観賞魚の棲息空間を確保する。該水落部材、脚構造部材の素材は樹脂製とするため、池の水に浮かないための十分な比重を有するものとする。
該水落下部材を置く池の水底には、水中ポンプを載置し、それと連通された山態様の水落下部材上方部通水口より、溢出落下させて滝を形成すると共に、落下水を池に戻して、連続的に滝を形成させて成ることを特徴とする人工滝セット。
【請求項２】
池の開口部に載置された、上方部に通水口を備えた、十分な比重を有する内部が下に開放され空洞構造の山態様の水落下部材について、池の水底に当設され、立設された水中ポンプと水落部材の通水路は柔軟性を持つ通水管で連通し、水中ポンプで吸い上げられた池の水は該部材の通水管により運ばれて該水落部材の通水口より排出され、前壁より落下させて連続的に滝を形成させて成ることを特徴とする人工滝セット。
【請求項３】
池の開口部に載置された、上方部に通水口を備えた、十分な比重を有する内部が下に開放され空洞構造の山態様の樹脂製の水落下部材は、該通水口と連接された通水管部材の膨大に形成された下端開口部が、電動機の回転軸に連接され、通水管部材内に挿入されている回転軸の下端部に設けられ、通水管部材の下端膨大部に位置して設けられたスクリューよりなる人工滝セットにおいて、電動機により回転する、スクリューの回転により吸い上げられた水を、通水管を経て水落下部材から落下させて滝を形成すると共に落下水を池に戻して、連続的に滝を形成させて成ることを特徴とする人工滝セット。
【請求項４】
池の開口部に載置された、上方部に通水口を備えた、十分な比重を有する内部が下に開放され空洞構造の山態様の水落下部材は、通水口より流れ下る滝様の前壁面を有し、その途中に段差を設ける。段差先端の壁面は前傾し斜面を成し、その断面の下面は水平で、壁面上面と楔形を成す。該水平面は背後の垂直の壁面に連なる。これにより、通水口より前壁面を流れ下る水が、段差先端より壁面より離れ、流れ落ちることにより、滝を形成すると共に、落下水を池に戻して、連続的に滝を形成させて成ることを特徴とする人工滝セット。
【発明の詳細な説明】
【技術分野】
【０００１】本発明は、観賞魚の飼育される庭園、室内、公園で使用される池等に人工滝を設置する方法と滝の流水の製造装置に関するものである。
【背景技術】
【０００２】従来、揚水ポンプで汲み上げた水を得壁面または岩石面に沿って滝様に水を落下させる人工滝は、個人宅の庭園、ホテル、公園その他の施設に設けることは周知に属する。
【先行技術文献】
【特許文献】
【０００３】
【特許文献１】特開６２−１８５１００号公報  庭園用人工滝のセット
【特許文献２】特開平０９−１４２０９５号公報  人工滝製造装置２０００年
【発明の概要】
【発明が解決しようとする課題】
【０００５】観賞魚の飼育される個人の庭園、室内、公園に設置される池に滝を形成するためには、池の外側に自然石、人工石を組み上げ、セメント、接着剤等を用いて、水路を確保の上、上部より当該の池に落下させて人工滝を成す。人工滝を設置する場所の確保、構成する資材の自然石、セメント、接着剤材等により、人工滝を組み上げる作業工程、運搬工程が発生する。撤去する際には、人工滝を構成する自然石を固定する接着剤、固められたコンクリートの破砕が必要であり、廃棄のための運搬を含め、多くの作業工程を必要とする。また、従来の人工滝においては、景観上自然の滝に似せることを主眼とし、載置される池に棲息する観賞魚の居住性には配慮が見られないことと、屋外に置かれて、生存に適した環境を整えるうえで、自然の滝は、水が高所から落下しつつ、凸凹状の岩石面などに当たって生じた小気泡を包含して落下することを知見として、人工滝を設置される池の水中に酸素を補給し、水の循環を形成させることと、野猫、野鳥等の外敵、日中の直射日光を避けるための退避場所を必要とするが、現状では、人工滝とは別に覆い状の構造物を設置する必要があること。以上を知見として、課題を克服する手段を研究した結果、本発明をするに至った。
【課題を解決するための手段】
【０００６】本発明は、池の水を水中ポンプで、水を高所に汲み上げ、壁面または、岩石面に沿って同池に落下せしめることによって人工滝を形成する。本人工滝、は、水落下部材として、既に完成している中が下に開放され空洞になった樹脂の人工石を使用し池中に載置する。人工滝の下部を池に没し、脚構造部材を付加して上げ底構造とする。それにより池の中に、水面が蔽いに覆われた人工滝底面より、池の底部までの観賞魚の棲息空間を確保することを特徴とする人工滝セット。
第一発明は、池の開口部に載置された、上方部に通水口を備えた、内部が下に開放され空洞構造の山態様の樹脂製の水落下部材。該部材には、３本の脚構造部材を有し、池の開口部に設置された状態では、該水落部材の山態様部分は、水面上に島状に突出する。脚構造部材を３本とすることで、池の底部の平面度に関わらず安定して載置される。池の底部の状態によって脚部材は適宜追加可能であり、載置される池の深さに応じて複数の長さを備える。該脚構造部材は水中に没し、池の水底から山態様の水落部材底部までの観賞魚の棲息空間を確保する。該水落部材、脚構造部材の素材は樹脂製とするため、池の水に浮かないための十分な比重を有するものとする。該水落下部材を置く池の水底には、水中ポンプを載置し、それと連通された山態様の水落下部材上方部通水口より、溢出落下させて滝を形成すると共に、落下水を池に戻して、連続的に滝を形成させて成ることを特徴とする人工滝セット。第二発明は、池の開口部に載置された、上方部に通水口を備えた、十分な比重を有する内部が下に開放され空洞構造の山態様の水落下部材について、池の水底に当設され立設された水中ポンプと該水落部材の通水路が柔軟性を持つ通水管で連通し、水中ポンプで吸い上げられた池の水は該部材の通水管により運ばれて該水落部材の通水口より排出され、前壁より落下させて連続的に滝を形成させて成ることを特徴とする人工滝セット。  第三発明は、池の開口部に載置された、上方部に通水口を備えた、十分な比重を有する内部が下に開放され空洞構造の山態様の樹脂製の水落下部材は、該通水口と連接された通水管部材の膨大に形成された下端開口部が、電動機の回転軸に連接され、通水管部材内に挿入されている回転軸の下端部に設けられ、通水管部材の下端膨大部に位置して設けられたスクリューよりなる人工滝セットにおいて、電動機により回転する、スクリューの回転により吸い上げられた水を、通水管を経て該水落下部材から落下させて滝を形成すると共に落下水を池に戻して、連続的に滝を形成させて成ることを特徴とする人工滝セット。第四発明は、池の開口部に載置された、上方部に通水口を備えた、十分な比重を有する内部が下に開放され空洞構造の山態様の水落下部材は、通水口より流れ下る滝様の前壁面を有し、その途中に段差を設ける。段差先端の壁面は前傾し斜面を成し、その断面の下面は水平で、壁面上面と楔形を成す。該水平面は背後の垂直の壁面に連なる。これにより、通水口より前壁面を流れ下る水が、段差先端より壁面より離れ、流れ落ちることにより、滝を形成すると共に、落下水を池に戻して、連続的に滝を形成させて成ることを特徴とする人工滝セット。
【発明の効果】
【０００７】本発明によれば、室内または屋外に人工滝を容易に設置、不要時には容易に除去することが出来、観賞魚の良好な生育環境を維持し、滝の景観を日常生活において容易に楽しむことが出来る、有効な発明が得られたのである。
【図面の簡単な説明】
【０００８】
【図１】この発明の一実施形態を示す断面図である。
【図２】この発明の水落構造を示す断面図である。
【発明を実施するための形態】
【０００９】図１は本発明の人工滝キットの縦断面側面図を示し、１は、山態様の水落下部材を示す。樹脂製の既に完成している内部が下に空洞になった人工石で形成する。上部に通水孔を穿つ。水中に載置するため、水面の風波等により容易に動くことのない程度の十分な比重を有する。２は、該水落下部材１の底部の開口部周縁に付属する脚構造部材。三本備え、水中に載置され安定して上部の該水落下部材を支えるに足る強度を有する。
これにより、該水落下部材下部と載置される池の底部との間の水中に空間を確保する。池の中に載置された状態で、観賞魚の棲息空間を確保、同時に棲息空間に覆いを被せることになり、退避場所を形成する。３は、樹脂製のパイプ構造のノズル。１の山態様の水落下部材上部の通水口に載置され、下方より吸引された水を排出する。排出された水は、１の山態様の水落下部材の外側を流れ落ちる。４は、通水管であり、池の水中より水を吸い上げ、上部の３ノズルより水を外に排出するための導水路となす。素材は柔軟性を持つ樹脂製で長さに余裕を持たせることにより、人工滝セットの載置される池の深さの変動に融通性を持たせることとする。５は、１の山態様の水落下部材様の水落下部材の基部で、開口部辺縁に沿って肉厚構造とすることにより重量を持たせることにより、重心を下げると同時に、２の脚構造物を固定する接合構造を有する。６は、水中ポンプであり、電動による。これにより水中より水を吸い上げ、４の通水管を経て１の該水落下部材上部に載置された３ノズルより外部に水を排出する動力源。７ａ，ｂは電源用プラグ及びコード。家庭用１００Ｖ電源で駆動する。８は太陽光発電用パネルで、小型サイズの小規模人工滝キットにはこれで発電された電力により駆動する。９は、実際に人工滝キットが載置された状態の水面を示す。１０は人工滝キットが載置される池を示す。屋内外のあらゆる施設に載置されるあらゆるサイズの池、水槽が想定される。１１は、１の山態様水落下部材に形成される人工滝発生突起部の構造断面を示す。上部外壁は下降線描き、末端部で、水平に折り返し、それに連なる下部の外壁は水平面を成す。これにより末端部を頂点として鋭角断面を形成する。３ノズルより排出された水は、山態様水落下部材の壁面を流れ下り、１１の上面末端で、壁面を離れ、下に流れ落ちることにより、滝態様の水の流れを形成する。
【実施形態の効果】
【００１０】この実施形態によれば、池の開口部に載置された、上方部に通水口を備えた、十分な比重を有する樹脂製の内部が下に開放され空洞構造の山態様の水落下部材をもって人工滝を形成し、それを池の中に置くことを前提とする。それにより池の外に人工滝の載置空間を確保する必要はなく、自然石、人工石等を組み上げてセメント、接着剤等で固定する作業を必要としない。撤去に際して人工滝を破砕する作業を必要としない。該水落下部材を三脚の脚構造物を備えた上げ底構造とすることにより、観賞魚の棲息空間を狭めることなく、池の水面が該水落部材によって覆われることにより、観賞魚の生存を脅かす野鳥、猫、直射日光からの退避場所を確保する。更に、人工滝による水の流れの循環により、水中への酸素を供給、良好な棲息環境を形成する。同時に庭を鑑賞する人に水の流れを有する好ましい景観を提供する人工滝セット。
【符号の説明】
【００１０】１．十分な比重を有する樹脂製の内部が下に開放され空洞構造の山態様の水落下部材
２．脚構造物
３．ノズル
４．通水管
５．基部
６．水中ポンプ
７ａ．電源プラグ
７ｂ．電源コード
８．太陽光発電パネル
９．水面
１０．載置池
１１．滝様水流発生突起
【図１】
2020082714.tif 000003
【図２】
2020082714.tif 000004